(57)【要約】【課題】無線端末側の送信機能を用いることなく該無線端末の電源のオン・オフ制御を可能とするシステムの提供。【解決手段】ＧＰＳ（Global  Positioning  System）擬似信号を生成し、所定の携帯電話使用禁止エリア２にＧＰＳ擬似信号の電波をアンテナ４から送信する擬似信号発生部３を備え、携帯電話機１は、ＧＰＳ受信部を備え、受信した前記ＧＰＳ擬似信号に応じて、電源のオン・オフを制御する。【選択図】図１
2007243672.tif 000002
【特許請求の範囲】
【請求項１】
無線端末の動作を制御する必要のある特定のエリアであることを指示するためにＧＰＳ（Ｇｌｏｂａｌ  Ｐｏｓｉｔｉｏｎｉｎｇ  Ｓｙｓｔｅｍ）擬似信号を生成し、前記エリアに、前記ＧＰＳ擬似信号の電波を送信するＧＰＳ擬似信号発生手段を備え、
前記無線端末は、ＧＰＳ信号を受信するＧＰＳ受信部と、前記ＧＰＳ受信部が前記エリアで受信した前記ＧＰＳ擬似信号に応じて前記無線端末の動作を制御する手段と、を備えている、ことを特徴とする無線端末制御システム。
【請求項２】
前記無線端末は、受信した前記ＧＰＳ擬似信号に応じて、少なくとも前記無線端末の通信部の電源を制御する電源制御手段を備え、
前記無線端末が電源オン状態で前記エリアに入ったときは、受信した前記ＧＰＳ擬似信号に基づき、前記無線端末の通信部の電源を自動でオフする、ことを特徴とする請求項１記載の無線端末制御システム。
【請求項３】
前記無線端末が前記エリアから出たときは、前記電源制御手段は、前記無線端末の通信部の電源を自動でオンする、ことを特徴とする請求項２記載の無線端末制御システム。
【請求項４】
前記無線端末では、前記エリア内における電源制御において、前記無線端末の送信機能は使用されない、ことを特徴とする請求項２又は３記載の無線端末制御システム。
【請求項５】
前記ＧＰＳ擬似信号発生手段は、前記エリアで受信されるＧＰＳ信号に、前記特定のエリアであることを指示する識別信号を合成してなるＧＰＳ擬似信号を生成する手段を備えている、ことを特徴とする請求項１記載の無線端末制御システム。
【請求項６】
前記ＧＰＳ擬似信号発生手段は、前記エリアで受信されるＧＰＳ信号に、追加ＧＰＳ衛星に対応する信号を合成してなるＧＰＳ擬似信号を生成する手段を備えている、ことを特徴とする請求項１記載の無線端末制御システム。
【請求項７】
前記無線端末は、前記ＧＰＳ受信部で受信したＧＰＳ信号から、追加ＧＰＳ衛星に対応する信号を検出する追加ＧＰＳ衛星検出回路を備え、前記追加ＧＰＳ衛星検出回路における追加ＧＰＳ衛星に対応する信号の検出結果に基づき電源をオン・オフ制御する、ことを特徴とする請求項６記載の無線端末制御システム。
【請求項８】
前記ＧＰＳ擬似信号発生手段は、前記エリアで受信されるＧＰＳ信号に、航法メッセージの一部へ識別信号を付加してなるＧＰＳ擬似信号を生成する手段を備えている、ことを特徴とする請求項１記載の無線端末制御システム。
【請求項９】
前記無線端末は、前記ＧＰＳ受信部で受信したＧＰＳ信号から、航法メッセージ中の識別信号を検出する識別信号検出回路を備え、前記識別信号検出回路での識別信号の検出結果に基づき電源をオン・オフ制御する、ことを特徴とする請求項８記載の無線端末制御システム。
【請求項１０】
前記ＧＰＳ擬似信号発生手段は、前記エリアで受信されるＧＰＳ信号に、所定のＧＰＳ衛星とＧＰＳ受信機間の擬似距離エラーを実際と異なる値に設定してなるＧＰＳ擬似信号を生成する手段を備えている、ことを特徴とする請求項１記載の無線端末制御システム。
【請求項１１】
前記無線端末は、前記ＧＰＳ受信部で受信したＧＰＳ信号から、擬似距離エラーが実際と異なる値を検出するエラー判別回路を備え、前記エラー判別回路での識別信号の検出結果に基づき電源をオン・オフ制御する、ことを特徴とする請求項１０記載の無線端末制御システム。
【請求項１２】
前記ＧＰＳ擬似信号発生手段は、前記エリアで受信されるＧＰＳ信号に、予め定められた特定の位置情報を示すＧＰＳ擬似信号を生成する手段を備えている、ことを特徴とする請求項１記載の無線端末制御システム。
【請求項１３】
前記無線端末は、前記ＧＰＳ受信部で受信したＧＰＳ信号から、予め定められた特定の位置情報を示すか否かに応じて、電源をオン・オフ制御する、ことを特徴とする請求項１２記載の無線端末制御システム。
【請求項１４】
前記無線端末は携帯電話機である、ことを特徴とする請求項１乃至１３のいずれか一に記載の無線端末制御システム。
【請求項１５】
ＧＰＳ（Ｇｌｏｂａｌ  Ｐｏｓｉｔｉｏｎｉｎｇ  Ｓｙｓｔｅｍ）擬似信号生成手段が、無線端末の動作を制御する必要のある特定のエリアであることを指示するためにＧＰＳ擬似信号を生成し、前記エリアに、前記ＧＰＳ擬似信号の電波を送信する工程と、
前記無線端末は、ＧＰＳ信号を受信するＧＰＳ受信部と、前記ＧＰＳ受信部が前記エリアで受信した前記ＧＰＳ擬似信号に応じて前記無線端末の動作を制御する工程と、
を含む、ことを特徴とする無線端末制御方法。
【請求項１６】
前記無線端末は、受信した前記ＧＰＳ擬似信号に応じて、少なくとも前記無線端末の通信部の電源を制御し、前記無線端末が電源オン状態で前記エリアに入ったときは、受信した前記ＧＰＳ擬似信号に基づき、前記無線端末の通信部の電源を自動でオフする、ことを特徴とする請求項１５記載の無線端末制御方法。
【請求項１７】
前記無線端末が前記エリアから出たときは、前記無線端末の通信部の電源を自動でオンする、ことを特徴とする請求項１５記載の無線端末制御方法。
【請求項１８】
前記無線端末では、前記エリア内における電源オン・オフ制御において、前記無線端末の送信機能は使用されない、ことを特徴とする請求項１６又は１７記載の無線端末制御方法。
【請求項１９】
前記ＧＰＳ擬似信号発生手段は、前記エリアで受信されるＧＰＳ信号に、前記特定のエリアであることを指示する識別信号を合成してなるＧＰＳ擬似信号を生成する、ことを特徴とする請求項１５記載の無線端末制御方法。
【請求項２０】
前記ＧＰＳ擬似信号は、
前記エリアで受信されるＧＰＳ信号に、追加ＧＰＳ衛星に対応する信号を合成してなる信号、
前記エリアで受信されるＧＰＳ信号に、航法メッセージの一部へ識別信号を付加してなる信号、
前記エリアで受信されるＧＰＳ信号に、所定のＧＰＳ衛星とＧＰＳ受信機間の擬似距離エラーを実際と異なる値に設定してなる信号、
前記エリアで受信されるＧＰＳ信号に、予め定められた特定の位置情報を示す信号、
のうちのいずれか一つである、ことを特徴とする請求項１５乃至１９のいずれか一に記載の無線端末制御方法。
【請求項２１】
前記無線端末は携帯電話機である、ことを特徴とする請求項１５乃至２０のいずれか一に記載の無線端末制御方法。
【請求項２２】
ＧＰＳ（Ｇｌｏｂａｌ  Ｐｏｓｉｔｉｏｎｉｎｇ  Ｓｙｓｔｅｍ）信号を受信するＧＰＳ受信部と、
前記ＧＰＳ受信部で受信したＧＰＳ信号が、無線端末の動作を制御する必要のある特定のエリアであることを指示するＧＰＳ擬似信号である場合、前記ＧＰＳ擬似信号に応じて前記無線端末の動作を制御する手段と、
を備えている、ことを特徴とする無線端末。
【請求項２３】
受信した前記ＧＰＳ擬似信号に応じて、少なくとも前記無線端末の通信部の電源を制御する電源制御手段を備え、
前記無線端末が電源オン状態で前記エリアに入ったときは、受信した前記ＧＰＳ擬似信号に基づき、前記無線端末の通信部の電源を自動でオフする、ことを特徴とする請求項２２記載の無線端末。
【請求項２４】
前記無線端末が前記エリアから出たときは、前記電源制御手段は、前記無線端末の通信部の電源を自動でオンする、ことを特徴とする請求項２２記載の無線端末。
【請求項２５】
前記エリアにおける電源制御において、前記無線端末の送信機能は使用されない、ことを特徴とする請求項２３又は２４記載の無線端末。
【請求項２６】
前記ＧＰＳ受信部で受信したＧＰＳ信号から、追加ＧＰＳ衛星に対応する信号を検出する追加ＧＰＳ衛星検出回路を備え、前記追加ＧＰＳ衛星検出回路における追加ＧＰＳ衛星に対応する信号の検出結果に基づき電源をオン・オフ制御する、ことを特徴とする請求項２２記載の無線端末。
【請求項２７】
前記無線端末は、前記ＧＰＳ受信部で受信したＧＰＳ信号から、航法メッセージ中の識別信号を検出する識別信号検出回路を備え、前記識別信号検出回路での識別信号の検出結果に基づき電源をオン・オフ制御する、ことを特徴とする請求項２２記載の無線端末。
【請求項２８】
前記ＧＰＳ受信部で受信したＧＰＳ信号から、擬似距離エラーが実際と異なる値を検出するエラー判別回路を備え、前記エラー判別回路での識別信号の検出結果に基づき電源をオン・オフ制御する、ことを特徴とする請求項２２記載の無線端末。
【請求項２９】
前記無線端末は、前記ＧＰＳ受信部で受信したＧＰＳ信号から、予め定められた特定の位置情報を示すか否かに応じて、電源をオン・オフ制御する、ことを特徴とする請求項２２記載の無線端末。
【請求項３０】
無線端末の動作を制御する必要のある特定のエリアであることを指示するためにＧＰＳ（Ｇｌｏｂａｌ  Ｐｏｓｉｔｉｏｎｉｎｇ  Ｓｙｓｔｅｍ）擬似信号を生成し、前記エリアに、アンテナから、前記ＧＰＳ擬似信号の電波を送信するＧＰＳ擬似信号発生手段を備え、前記無線端末は、前記エリアで受信した前記ＧＰＳ擬似信号に応じて前記無線端末の動作を制御する、ことを特徴とする信号発生装置。
【請求項３１】
前記エリアで受信されるＧＰＳ信号に、前記特定のエリアであることを指示する識別信号を合成してなるＧＰＳ擬似信号を生成する手段と、を備えている、ことを特徴とする請求項３０記載の信号発生装置。
【請求項３２】
前記エリアで受信されるＧＰＳ信号に、追加ＧＰＳ衛星に対応する信号を合成してなるＧＰＳ擬似信号を生成する手段を備えている、ことを特徴とする請求項３０記載の信号発生装置。
【請求項３３】
前記エリアで受信されるＧＰＳ信号に、航法メッセージの一部へ識別信号を付加してなるＧＰＳ擬似信号を生成する手段を備えている、ことを特徴とする請求項３０記載の信号発生装置。
【請求項３４】
前記エリアで受信されるＧＰＳ信号に、所定のＧＰＳ衛星とＧＰＳ受信機間の擬似距離エラーを実際と異なる値に設定してなるＧＰＳ擬似信号を生成する手段を備えている、ことを特徴とする請求項３０記載の信号発生装置。
【請求項３５】
前記エリアで受信されるＧＰＳ信号に、予め定められた特定の位置情報を示すＧＰＳ擬似信号を生成する手段を備えている、ことを特徴とする請求項３０記載の信号発生装置。
【発明の詳細な説明】
【技術分野】
【０００１】
本発明は、移動体端末等の無線端末の制御技術に関し、特に、移動体端末の自動電源オン／オフに適用して好適なシステム、方法、装置に関する。
【背景技術】
【０００２】
携帯電話等の移動体端末が広く普及するにつれ、携帯電話機の利用に対する規制も強化されつつある。電波を発する機器として、また、音声通話によるマナーの観点から、病院内、飛行機内、電車内、コンサート会場内などの特定の場所での使用禁止や、電源オフ実施の規制強化がされてきている。
【０００３】
携帯電話機の電源を切る作業は、携帯電話機の利用者自身により手動で行われており、電源をオフし忘れたりすることによる不利益や、煩わしさがある。
【０００４】
【特許文献１】特開２００１−３５９１４９号公報
【特許文献２】特開２００１−０９４５１８号公報
【発明の開示】
【発明が解決しようとする課題】
【０００５】
この問題を解決するための手法として、従来より、例えば図１３（Ａ）に示すように、ある特定エリア（携帯電話利用禁止エリア）に特定の信号の電波を送信しておき、検出するための通信手段としては、携帯電話機がもつＷＣＤＭＡ（Wide−Band ＣＤＭＡ）、ＧＳＭ（Global System for Mobile Communications）、ＣＤＭＡ(Code Division Multiple Access)、ＰＤＣ(Personal Digital Cellular)、ＰＨＳ(Personal Handy-phone System)などの無線通信を用いる方式が考えられるが、いずれも送受信機能、すなわち、受信だけでなく送信機能を使用することになる。しかしながら、携帯電話利用禁止エリアにおいては、携帯電話機の電波の送信により、ペースメーカー、病院／飛行機などの計器類への誤動作防止が、本来の目的であることから、電源制御のために、携帯電話機がその通信機能を使用することは、ペースメーカーや機器の誤動作の原因ともなり、逆に、問題となる。
【０００６】
なお、特許文献１には、ＢＴＳから更新ゾーン内に送信され、更新信号の受信に基づき無線装置のオプション（鳴動制動を鳴動から振動へ変更、無線装置又は無線装置の送信部を無力化させる）の更新を行う方法、装置が開示されている。この方法は、図１３（Ａ）の方法に対応する。特許文献２にも無線基地局が報知チャネルを利用して携帯電話機に付加価値情報を送信するシステムが開示されている。
【０００７】
微弱な電波を利用する、その他の通信機能として、例えば図１３（Ｃ）に示すような、コンタクトレスＩＣカードがあるが、通信距離が短く、エリアへ入ったことを検出することができない可能性もあり、実用上、不十分である。
【０００８】
また、図１３（Ｂ）に示したように、Ｂｌｕｅｔｏｏｔｈによる通信を用いてオフ制御を行う場合も、携帯電話機の送信機能が働き、その結果、図１３（Ａ）の場合と同様、ペースメーカーや機器の誤動作の原因ともなる。
【０００９】
したがって、本発明の目的は、移動体端末等の無線端末側の送信機能を用いることなく、無線端末の電源制御を可能とするシステム、方法、装置並びに無線端末を提供することにある。
【課題を解決するための手段】
【００１０】
本発明は、前記課題を解決するため、概略以下の構成とされる。
【００１１】
本発明の１つの側面（アスペクト）に係る無線端末制御システムは、無線端末の動作を制御する必要のある特定のエリアであることを指示するためにＧＰＳ（Ｇｌｏｂａｌ  Ｐｏｓｉｔｉｏｎｉｎｇ  Ｓｙｓｔｅｍ）擬似信号を生成し、前記エリアに、前記ＧＰＳ擬似信号の電波を送信するＧＰＳ擬似信号発生手段を備え、前記無線端末は、ＧＰＳ信号を受信するＧＰＳ受信部と、前記ＧＰＳ受信部が前記エリアで受信した前記ＧＰＳ擬似信号に応じて前記無線端末の動作を制御する手段と、を備えている。
【００１２】
本発明において、前記無線端末は、受信した前記ＧＰＳ擬似信号に応じて、少なくとも前記無線端末の通信部の電源を制御する電源制御手段を備え、前記無線端末が電源オン状態で前記エリアに入ったときは、受信した前記ＧＰＳ擬似信号に基づき、前記無線端末の通信部の電源を自動でオフする。本発明において、前記無線端末が前記エリアから出たときは、前記電源制御手段は、前記無線端末の通信部の電源を自動でオンする。
【００１３】
本発明において、前記無線端末では、前記エリア内における電源制御において、前記無線端末の送信機能は使用されない。
【００１４】
本発明において、前記ＧＰＳ擬似信号発生手段は、前記エリアで受信されるＧＰＳ信号に、前記特定のエリアであることを指示する識別信号を合成してなるＧＰＳ擬似信号を生成する手段を備えている。
【００１５】
本発明において、前記ＧＰＳ擬似信号発生手段は、前記エリアで受信されるＧＰＳ信号に、追加ＧＰＳ衛星に対応する信号を合成してなるＧＰＳ擬似信号を生成する手段を備えた構成としてもよい。前記無線端末は、前記ＧＰＳ受信部で受信したＧＰＳ信号から、追加ＧＰＳ衛星に対応する信号を検出する追加ＧＰＳ衛星検出回路を備え、前記追加ＧＰＳ衛星検出回路における追加ＧＰＳ衛星に対応する信号の検出結果に基づき電源をオン・オフ制御する。
【００１６】
本発明において、前記ＧＰＳ擬似信号発生手段は、前記エリアで受信されるＧＰＳ信号に、航法メッセージの一部へ識別信号を付加してなるＧＰＳ擬似信号を生成する手段を備えた構成としてもよい。前記無線端末は、前記ＧＰＳ受信部で受信したＧＰＳ信号から、航法メッセージ中の識別信号を検出する識別信号検出回路を備え、前記識別信号検出回路での識別信号の検出結果に基づき電源をオン・オフ制御する。
【００１７】
本発明において、前記ＧＰＳ擬似信号発生手段は、前記エリアで受信されるＧＰＳ信号に、所定のＧＰＳ衛星とＧＰＳ受信機間の擬似距離エラーを実際と異なる値に設定してなるＧＰＳ擬似信号を生成する手段を備えた構成としてもよい。前記無線端末は、前記ＧＰＳ受信部で受信したＧＰＳ信号から、擬似距離エラーが実際と異なる値を検出するエラー判別回路を備え、前記エラー判別回路での識別信号の検出結果に基づき電源をオン・オフ制御する。
【００１８】
本発明において、前記ＧＰＳ擬似信号発生手段は、前記エリアで受信されるＧＰＳ信号に、予め定められた特定の位置情報を示すＧＰＳ擬似信号を生成する手段を備えた構成としてもよい。前記無線端末は、前記ＧＰＳ受信部で受信したＧＰＳ信号から、予め定められた特定の位置情報を示すか否かに応じて、電源をオン・オフ制御する。
【００１９】
本発明に係る方法は、ＧＰＳ擬似信号生成手段が、無線端末の動作を制御する必要のある特定のエリアであることを指示するためにＧＰＳ擬似信号を生成し、前記エリアに、前記ＧＰＳ擬似信号の電波を送信する工程と、
前記無線端末は、ＧＰＳ信号を受信するＧＰＳ受信部と、前記ＧＰＳ受信部が前記エリアで受信した前記ＧＰＳ擬似信号に応じて前記無線端末の動作を制御する工程と、
を含む。
【００２０】
本発明の他の側面に係る方法において、前記無線端末は、受信した前記ＧＰＳ擬似信号に応じて、少なくとも前記無線端末の通信部の電源を制御し、前記無線端末が電源オン状態で前記エリアに入ったときは、受信した前記ＧＰＳ擬似信号に基づき、前記無線端末の通信部の電源を自動でオフする。前記無線端末が前記エリアから出たときは、前記無線端末の通信部の電源を自動でオンする。
【００２１】
本発明に係る方法において、前記無線端末では、前記エリア内における電源オン・オフ制御において、前記無線端末の送信機能は使用されない。
【００２２】
本発明に係る方法において、前記ＧＰＳ擬似信号発生手段は、前記エリアで受信されるＧＰＳ信号に、前記特定のエリアであることを指示する識別信号を合成してなるＧＰＳ擬似信号を生成する。
【００２３】
本発明に係る方法において、前記ＧＰＳ擬似信号は、
前記エリアで受信されるＧＰＳ信号に、追加ＧＰＳ衛星に対応する信号を合成してなる信号、
前記エリアで受信されるＧＰＳ信号に、航法メッセージの一部へ識別信号を付加してなる信号、
前記エリアで受信されるＧＰＳ信号に、所定のＧＰＳ衛星とＧＰＳ受信機間の擬似距離エラーを実際と異なる値に設定してなる信号、
前記エリアで受信されるＧＰＳ信号に、予め定められた特定の位置情報を示す信号、
のうちのいずれか一つである。
【００２４】
本発明のさらに他の側面に係る無線端末は、ＧＰＳ信号を受信するＧＰＳ受信部と、
前記ＧＰＳ受信部で受信したＧＰＳ信号が、無線端末の動作を制御する必要のある特定のエリアであることを指示するＧＰＳ擬似信号である場合、前記ＧＰＳ擬似信号に応じて前記無線端末の動作を制御する手段と、を備えている。
【００２５】
本発明に係る無線端末において、受信した前記ＧＰＳ擬似信号に応じて、少なくとも前記無線端末の通信部の電源を制御する電源制御手段を備え、前記無線端末が電源オン状態で前記エリアに入ったときは、受信した前記ＧＰＳ擬似信号に基づき、前記無線端末の通信部の電源を自動でオフする構成としてもよい。本発明に係る無線端末において、前記無線端末が前記エリアから出たときは、前記電源制御手段は、前記無線端末の通信部の電源を自動でオンする構成としてもよい。
【００２６】
本発明に係る無線端末において、前記エリアにおける電源制御において、前記無線端末の送信機能は使用されない。
【００２７】
本発明に係る無線端末において、前記ＧＰＳ受信部で受信したＧＰＳ信号から、追加ＧＰＳ衛星に対応する信号を検出する追加ＧＰＳ衛星検出回路を備え、前記追加ＧＰＳ衛星検出回路における追加ＧＰＳ衛星に対応する信号の検出結果に基づき電源をオン・オフ制御する構成としてもよい。
【００２８】
本発明に係る無線端末において、前記ＧＰＳ受信部で受信したＧＰＳ信号から、航法メッセージ中の識別信号を検出する識別信号検出回路を備え、前記識別信号検出回路での識別信号の検出結果に基づき電源をオン・オフ制御する構成としてもよい。
【００２９】
本発明に係る無線端末において、前記ＧＰＳ受信部で受信したＧＰＳ信号から、擬似距離エラーが実際と異なる値を検出するエラー判別回路を備え、前記エラー判別回路での識別信号の検出結果に基づき電源をオン・オフ制御する構成としてもよい。
【００３０】
本発明に係る無線端末において、前記ＧＰＳ受信部で受信したＧＰＳ信号から、予め定められた特定の位置情報を示すか否かに応じて、電源をオン・オフ制御する構成としてもよい。
【００３１】
本発明の他の側面に係る信号発生装置（ＧＰＳ擬似信号発生装置）は、無線端末の動作を制御する必要のある特定のエリアであることを指示するためにＧＰＳ擬似信号を生成し、前記エリアに、アンテナから、前記ＧＰＳ擬似信号の電波を送信するＧＰＳ擬似信号発生手段を備え、前記無線端末は、前記エリアで受信した前記ＧＰＳ擬似信号に応じて前記無線端末の動作を制御する。
【００３２】
本発明に係る信号発生装置において、前記エリアで受信されるＧＰＳ信号に、前記特定のエリアであることを指示する識別信号を合成してなるＧＰＳ擬似信号を生成する手段を備えている。
【００３３】
あるいは、本発明に係る信号発生装置においては、前記エリアで受信されるＧＰＳ信号に、追加ＧＰＳ衛星に対応する信号を合成してなるＧＰＳ擬似信号を生成する手段を備えた構成としてもよい。
【００３４】
あるいは、本発明に係る信号発生装置においては、前記エリアで受信されるＧＰＳ信号に、航法メッセージの一部へ識別信号を付加してなるＧＰＳ擬似信号を生成する手段を備えた構成としてもよい。
【００３５】
あるいは、本発明に係る信号発生装置においては、前記エリアで受信されるＧＰＳ信号に、所定のＧＰＳ衛星とＧＰＳ受信機間の擬似距離エラーを実際と異なる値に設定してなるＧＰＳ擬似信号を生成する手段を備えた構成としてもよい。
【００３６】
あるいは、本発明に係る信号発生装置においては、前記エリアで受信されるＧＰＳ信号に、予め定められた特定の位置情報を示すＧＰＳ擬似信号を生成する手段を備えた構成としてもよい。
【発明の効果】
【００３７】
本発明によれば、無線端末側の送信機能を用いることなく、無線端末の電源制御を可能としており、使用禁止エリア内において、無線端末からの無線送信による、ペースメーカーや各種機器への影響を回避している。また本発明によれば、電源オフし忘れ等の問題をなくし、電源のオン・オフの手動操作を不要とし、ユーザーの利便性を向上可能としている。
【発明を実施するための最良の形態】
【００３８】
上記した本発明についてさらに詳細に説述すべく添付図面を参照して説明する。本発明においては、ＧＰＳ（Ｇｌｏｂａｌ  Ｐｏｓｉｔｉｏｎｉｎｇ  Ｓｙｓｔｅｍ）受信機能を利用して、携帯電話機等の無線端末が、その電源をオフしなければならないエリア（利用禁止エリア）に入った場合、利用禁止エリア内を電波で送信されるＧＰＳ擬似信号の受信に応答して、無線端末の少なくとも通信部を電源オフとし、無線端末のＧＰＳ受信部のみが受信状態（オン）又は間歇的に受信状態（オン）となるように設定される。利用禁止エリアから利用可エリアへ移動した場合には、オフ状態とされていた無線端末の通信部の電源を自動的にオンする制御が行われる。本発明において、利用禁止エリア内での電源オフの制御シーケンスはＧＰＳ擬似信号の受信に応答して行われ、無線端末の通信部（ＲＦ部）からの信号の送信は行われない。
【００３９】
このように、本発明によれば、ＧＰＳ機能によるエリアの判別には、ＧＰＳ信号の受信機能のみで送信を行わず、ＧＰＳ受信機は例えば−１３０ｄＢｍ以下という電波環境で受信可能である。すなわち、送信側の出力が計器類の誤動作を招くほどの強い送信電力を必要としない。なお、ＧＰＳ携帯電話は市販されており、ＧＰＳ機能自体が、緊急通報対応サービス開始など、携帯電話機の標準機能として搭載されていくものと思料される。また総務省も携帯電話機へのＧＰＳ機能搭載を推進しており、２００７年４月以降に販売される第３世代（３Ｇ）携帯電話には、ＧＰＳによる位置情報通知機能の装備が目標とされている。以下実施例に即して説明する。
【実施例】
【００４０】
図１は、本発明の一実施例の構成を説明するための図である。図１を参照すると、本発明の一実施例は、ＧＰＳ受信部をもつ携帯電話機１と、携帯電話利用禁止エリア２（オフ必要エリア）に、ＧＰＳ擬似信号を送信するためのＧＰＳ擬似信号送信アンテナ４と、アンテナ４にＧＰＳ擬似信号を送出する擬似信号発生部３を備えている。携帯電話利用禁止エリア２内には、ＧＰＳ擬似信号送信アンテナ４からＧＰＳ擬似信号が送信され、ＧＰＳ受信部を備えた携帯電話機１は、このＧＰＳ擬似信号を受信すると電源をオフする。また、ＧＰＳ擬似信号の受信による電源オフの状態で、ＧＰＳ擬似信号の受信がなくなると、自動で電源をオンさせる。ＧＰＳ擬似信号は、当該エリア２が、予め定められた携帯電話利用禁止エリアであることを識別するための信号を含む。
【００４１】
図２は、図１の携帯電話機１の構成を示す図である。携帯電話通信部１１とＧＰＳ受信部１２を備えている。ＧＰＳ受信部１２は、ＧＰＳ擬似信号を受信すると、電源をオフさせる制御を行う。ＧＰＳ受信部１２は、間欠もしくは連続的にＧＰＳ信号を受信状態にしておく。すなわち、ＧＰＳ受信部１２は、ＧＰＳ信号を受信可能とするため、電源が供給され、活性状態又は間歇的に活性状態としておく。ＧＰＳ擬似信号の受信を検出すると、図２では不図示の制御回路（図５の１３参照）が、自動的に携帯電話通信部１１の電源をオフする。なお、ＧＰＳ擬似信号の受信により、当該エリアが、携帯電話機の利用が禁止されるエリアであると判別した場合、携帯電話通信部１１のほか、液晶表示部、ＣＰＵ等を電源オフさせるようにしてもよいことは勿論である。
【００４２】
図３は、本発明の一実施例の動作を説明するフローチャートである。ＧＰＳ受信部１２が、ＧＰＳ信号を受信し（ステップＳ１１）、受信した信号が、携帯電話利用禁止エリアである識別信号である場合、携帯電話通信部１１の電源をオフする（ステップＳ１３）。携帯電話利用禁止エリアである識別信号を受信しなかった場合は、携帯電話通信部１１の電源をオンとする（ステップＳ１４）。このような制御動作により、携帯電話利用可能禁止エリア２内では自動的に携帯電話機１の電源はオフに設定され、携帯電話利用可能エリア２外では携帯電話機１の電源は自動的にオンに設定される。
【００４３】
図４は、図１のＧＰＳ擬似信号発生部３の構成を示す図である。当該禁止エリアで携帯電話機１が受信可能なＧＰＳ信号を受信アンテナ３３で受信する。受信アンテナ３３で受信したＧＰＳ信号に対して、擬似衛星信号発生器３１は、現在使用されていない新たなＧＰＳ衛星の信号（仮想ＧＰＳ衛星の信号）を、ミキサ３２によって重畳させる。現在使用されていない新たなＧＰＳ衛星は、従来使用されているＣ／Ａコードと別のものを選択する。なお、ＧＰＳ信号において、全ＧＰＳ衛星は同一周波数を用い、Ｃ／Ａコード（民間）とＰ（Ｙ）コード（米軍関係者のみ）はゴールド符号とする擬似ランダム雑音（ＰＲＮ）で変調されており、Ｃ／ＡコードはＬ１＝１５５７４．４２ＭＨｚに載せられたＣ／Ａコードによる測位が行われる。
【００４４】
ミキサ３２によって合成された信号（ＧＰＳ擬似信号）は、送信アンテナ４によって、携帯電話利用禁止エリア２などの特定エリアを示す信号として送出される。
【００４５】
図５は、図２のＧＰＳ受信部１２の構成を示す図である。図５を参照すると、ＧＰＳ受信機１２２と、追加ＧＰＳ衛星検出回路１２３と、を備えている。ＧＰＳ受信機１２２は既存のもの（チップ等）が用いられる。追加ＧＰＳ衛星検出回路１２３での検出結果信号は、自動電源ＯＮ／ＯＦＦ回路１３に供給される。追加ＧＰＳ衛星検出回路１２３は、ＧＰＳ衛星の信号を復調する回路であり、新規のＣ／Ａコードを受信可能とされ、ＧＰＳ受信機１２２で受信したＧＰＳ信号から、追加ＧＰＳ衛星信号を受信したか否かを認識することで、自動電源ＯＮ／ＯＦＦ回路１３により、携帯電話通信部１１の電源をオン／オフ制御する。すなわち、ＧＰＳ受信機１２２で新規のＣ／Ａコード（ＧＰＳ擬似信号）を受信した場合、携帯電話利用禁止エリア２と判断されることから、携帯電話通信部１１の電源を自動的にオフとし、新規に設けたＧＰＳ信号を受信しない場合には、携帯電話利用可能エリア（一般的な場所で特定エリアでない）と判断され、オフ状態とされていた携帯電話通信部１１の電源を自動的にオンとする。
【００４６】
このように、本実施例によれば、携帯電話機の電源をオフしなければならないエリア、例えば、病院内、飛行機内、電車内、コンサート会場内などに入った場合、自動的に携帯電話の電源をオフし、逆に電源オフしなければならない携帯電話利用禁止エリアから携帯電話利用可能エリアへ出た場合には、携帯電話機の電源を自動的にオンすることを可能としている。また、本実施例によれば、電源オフし忘れなどの問題を解消し、ユーザーが従来手動で行ってきた電源オフさせるという煩わしい作業をする必要がなくなり、ユーザーの利便性を向上することが可能となる。なお、携帯電話利用禁止エリア２が例えば屋内の場合、携帯電話機１で受信するＧＰＳ衛星（図４の５−１、５−２、５−３）からのＧＰＳ信号電力は特に微弱となり（あるいは受信が困難）、ＧＰＳ擬似信号送信アンテナ４からのＧＰＳ擬似信号の電力（微弱）を、本来のＧＰＳ受信信号よりも、若干大きく設定すると、携帯電話機１におけるＧＰＳ擬似信号の検出を容易化し、さらに、擬似拡散コード等の使用により、ＧＰＳ擬似信号はＧＰＳ衛星からのＧＰＳ信号と分離して検出される。
【００４７】
次に、本発明の第２の実施例を説明する。本実施例は、前記実施例と同様、ある特定エリアにおいて、そのエリアに送出されているＧＰＳの識別信号を受信し、自動的に携帯電話通信部１１のオン／オフ制御を行うが、ＧＰＳ擬似信号発生器及び携帯電話機の受信部の構成が相違している。すなわち、ＧＰＳ擬似信号発生部３（図１）は、ＧＰＳ受信機能を利用して特定エリアであるかの識別信号を送信し、識別信号付加装置にて、ＧＰＳ信号の航法メッセージの中に識別信号を付加する。
【００４８】
図６は、本発明の第２の実施例における擬似信号発生部３の構成を示す図である。その場所で受信可能なＧＰＳ信号を受信アンテナ３３で受信し、識別信号付加装置３４は、受信したＧＰＳ信号の航法メッセージの一部へ特別な識別信号を付加する。識別信号が付加された航法メッセージをもつＧＰＳ信号は、送信アンテナ４によって、携帯電話利用禁止エリア２などの特定の場所を示す信号として送出される。なお航法データには、衛星軌道情報、衛星時計の情報、電離層補正データ、他の衛星の位置情報等がある。
【００４９】
図７は、本発明の第２の実施例のＧＰＳ受信部１２（図２参照）の構成を示す図である。図７を参照すると、ＧＰＳ受信機（ＧＰＳレシーバ）１２２と、識別信号検出回路１２４と、を備えている。ＧＰＳ受信機１２２は既存のものが用いられる。識別信号検出回路１２４は、送信側で付加した航法メッセージの中の識別信号を検出する。識別信号検出回路１２４が、識別信号を受信した否かに応じて自動電源ＯＮ／ＯＦＦ回路１３は、携帯電話通信部１１（図２）の電源をオン／オフ制御する。すなわち、ＧＰＳ受信機１２２が、識別信号を受信した場合、携帯電話利用禁止エリア２と考えられるため、携帯電話通信部１１の電源を自動的にオフとし、識別信号を受信できなかった場合、携帯電話利用可能エリア（一般的な場所で特定エリアでない）と認識できるので、携帯電話通信部１１の電源を自動的にオンとする。
【００５０】
次に、本発明の第３の実施例を説明する。本実施例においは、前記実施例と同様、ある特定エリアにおいて、そのエリアに送出されているＧＰＳの識別信号を受信し、自動的に携帯電話通信部１１のオン／オフを制御するが、ＧＰＳ擬似信号発生器及び携帯電話機の受信部の構成が相違している。擬似信号発生器は、ＧＰＳ受信機能を利用して特定エリアであるかの識別信号を送信し、ＧＰＳ擬似距離エラー付加回路にて、実際に存在するＧＰＳ信号のある特定の衛星の擬似距離エラーを実際と異なる値へ変更する。
【００５１】
図８は、衛星配置を示す天空図である。本実施例では、図８において１つ又は複数のＧＰＳ衛星の擬似距離エラーを実際と異なる値へ変更する。
【００５２】
図９は、本発明の第３の実施例の擬似信号発生部３の構成を示す図である。その場所で受信可能なＧＰＳ信号を受信アンテナ３３で受信し、ＧＰＳ擬似距離エラー付加回路３５は、その信号の１つ又は２つ以上のＧＰＳ衛星の擬似距離エラーを実際と異なる値へ変更する。変更後のＧＰＳ信号は、送信アンテナ４によって、携帯電話利用禁止エリア２などの特定の場所を示す信号として送出される。
【００５３】
擬似距離エラーとは、ＧＰＳ衛星とＧＰＳ受信機との距離を表すパラメータであり、ＧＰＳ受信機は、この擬似距離エラーを用いて複数のＧＰＳ衛星から観測点までの距離で交わる点を測位結果として算出する。
【００５４】
ある衛星のみに故意に擬似距離エラーを変更することは、複数のＧＰＳ衛星からの距離から考慮すると、明らかにおかしな結果（エラー）であり、この結果をもとに、擬似信号であると判別可能である。
【００５５】
図１０は、本発明の第３の実施例を説明するための図である。ＧＰＳ衛星（ＳＶ６）以外の結果は、すべてＡ地点を示すが、ＧＰＳ衛星（ＳＶ６）の擬似距離エラーが故意に変更されていることで、矛盾しており、エラーと判別できる。一般に、実際のＧＰＳの測位環境でもマルチパスなどの影響により、これと同様なことが起こりえるが、実際にありえないような大きな差分の擬似距離エラーへ変更することで、故意に変更した信号に区分けすることが可能である。
【００５６】
図１１は、本発明の第３の実施例のＧＰＳ受信部１２（図２参照）の構成を示す図である。ＧＰＳ受信機１２２は、複数のＧＰＳ衛星から妥当な測位結果であるかを検出する回路（不図示）を内蔵しており、本実施例において、ＧＰＳ受信機１２２は、既存製品をそのまま用いることができる。ＧＰＳ受信機１２２が出力した擬似距離エラーの不確からしさの度合いを判別するエラー判別回路１２５を備え、ＧＰＳ擬似距離エラー付加回路３５で故意に付加された擬似距離エラーであるか否かを判別する。エラー判別回路１２５の判別結果に基づき、自動電源ＯＮ／ＯＦＦ回路１３は、携帯電話通信部１１の電源をオン／オフ制御する。すなわち、ＧＰＳ受信機１２２で故意の擬似距離エラーを受信した場合、現在のエリアは、携帯電話利用禁止エリア２と考えられるため、携帯電話機１の電源を自動的にオフとし、故意の擬似距離エラーを受信できなかった場合、携帯電話利用可能エリア（一般的な場所であり、特定の携帯電話利用禁止エリア２でない）と認識できるので、携帯電話の電源を自動的にオンとする。
【００５７】
次に、本発明の第４の実施例を説明する。本実施例は、携帯電話利用禁止エリア２において、該エリアに送出されているＧＰＳの識別信号を受信し、自動的に携帯電話通信部１１の電源をオン／オフ制御するという基本的構成は、前記第１の実施例と同様であるが、ＧＰＳ擬似信号発生器及び携帯電話機の受信部の構成が相違している。本実施例では、特定の地点（緯度／経度）を示すＧＰＳ擬似信号を利用して識別する。
【００５８】
図１２に示すように、実際にその場所で受信可能なＧＰＳ信号では、Ａ地点を示すはずであるが、あらかじめ取り決めたＺ地点を示すようなＧＰＳ擬似信号を送信アンテナ４によって、携帯電話利用禁止エリア２などの特定の場所を示す信号として送出する。この場合のＺ地点は、実際に携帯電話機１を利用できない場所、例えば、海上、火山の噴火口などを設定しておく。
【００５９】
携帯電話機１はあらかじめ設定されたこのような場所を示すＧＰＳ擬似信号を受信した場合、携帯電話利用禁止エリア２と判断し、携帯電話の電源を自動的にオフとし、あらかじめ設定されたこのような場所を示すＧＰＳ擬似信号を受信できなかった場合、携帯電話利用可能エリア（一般的な場所で特定エリアでない）と認識できるので、携帯電話の電源を自動的にオンとする。
【００６０】
なお、上記実施例では、ＧＰＳ擬似信号を受信し電源をオン・オフ制御する無線端末として携帯電話機を例に説明したが、本発明において、無線端末としては、携帯電話機に制限されるものでなく、ＰＨＳ端末のほか、通信機能を備えた任意のモバイル端末（ＰＤＡ（Personal Digital Assistants）、モバイルＰＣ等）に適用可能なことは勿論である。また、ＧＰＳ擬似信号による無線端末の典型例として、携帯電話通信部の電源のオン・オフを例に説明したが、携帯電話通信部の電源のオン・オフに制限されず、液晶表示部、操作部等、ＧＰＳ受信部以外をオフとするようにしてもよいことは勿論である。携帯電話利用禁止エリアでは、ＧＰＳ受信部を間歇的にオン状態とする制御を行ってもよい。あるいは、電源制御以外に、ＧＰＳ擬似信号により、無線端末の動作モードを可変制御するようにしてもよいことは勿論である。
【００６１】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００６２】
【図１】本発明の一実施例を説明するための図である。
【図２】本発明の第１の実施例の携帯電話機の構成を示す図である。
【図３】本発明の第１の実施例の動作を説明するための流れ図である。
【図４】本発明の第１の実施例の擬似信号発生部の構成を説明するための図である。
【図５】本発明の第１の実施例の携帯電話機のＧＰＳ受信部の構成を示す図である。
【図６】本発明の第２の実施例の擬似信号発生部の構成を説明するための図である。
【図７】本発明の第２の実施例の携帯電話機のＧＰＳ受信部の構成を示す図である。
【図８】本発明の第３の実施例を説明するための図である。
【図９】本発明の第３の実施例の擬似信号発生部の構成を説明するための図である。
【図１０】本発明の第３の実施例を説明するための図である。
【図１１】本発明の第３の実施例の携帯電話機のＧＰＳ受信部の構成を示す図である。
【図１２】本発明の第４の実施例を説明するための図である。
【図１３】（Ａ）、（Ｂ）、（Ｃ）は携帯電話機の電源オン、オフの自動制御システムを説明するための図である。
【符号の説明】
【００６３】
１  携帯電話機
２  携帯電話利用禁止エリア
３  擬似信号発生部
４  ＧＰＳ擬似信号送信アンテナ
５−１〜５−３  ＧＰＳ衛星
１１  携帯電話通信部
１２  ＧＰＳ受信部
１３  自動電源オン・オフ回路
３１  擬似衛星信号発生器
３２  ミキサ
３３  受信アンテナ
３４  識別信号付加装置
３５  ＧＰＳ擬似距離エラー付加回路
１２１  ＧＰＳ受信用アンテナ
１２２  ＧＰＳ受信機
１２３  追加ＧＰＳ衛星検出回路
１２４  識別信号検出回路
１２５  エラー判別回路
【図１】
2007243672.tif 000003
【図２】
2007243672.tif 000004
【図３】
2007243672.tif 000005
【図４】
2007243672.tif 000006
【図５】
2007243672.tif 000007
【図６】
2007243672.tif 000008
【図７】
2007243672.tif 000009
【図８】
2007243672.tif 000010
【図９】
2007243672.tif 000011
【図１０】
2007243672.tif 000012
【図１１】
2007243672.tif 000013
【図１２】
2007243672.tif 000014
【図１３】
2007243672.tif 000015